(57)【特許請求の範囲】
【請求項１】
テンションレベラーで帯板に引張り曲げ矯正を加え、ついでローラレベラーで曲げ矯正し、
前記テンションレベラーでの矯正作用は、矯正される板厚の450 倍以上のロール径の大径ロールのみにより、負荷強度が帯板の降伏応力もしくは耐力の７０％以上で行い、
前記ローラレベラーでの矯正は、張力が５０Ｎ/ｍｍ２以下で行う
ことを特徴とする帯板のレベリング方法。
【請求項２】
入側ブライドルロールと中央ブライドルロールと出側ブライドルロールとを備えており、
前記入側ブライドルロールと前記中央ブライドルロールの間に、テンションレベラーを配置し、
前記中央ブライドルロールと前記出側ブライドルロールの間に、ローラレベラーを配置しており、
前記テンションレベラーにおいて矯正作用に用いるロールは、ロール径が矯正される帯板の板厚の450 倍以上の大径ロールのみからなる
ことを特徴とする帯板のレベリング装置。
【発明の詳細な説明】
【０００１】
【発明の属する技術分野】
本発明は、帯板のレベリング方法およびレベリング装置に関する。
電気・電子部品として用いられる帯板に求められる品質として、帯板の高い平坦度と、帯板から部品形状ヘエッチングにより切り取った際に部品が反らないこと、が挙げられる。本発明は、こられの二つを満足する帯板の形状矯正技術に関する。
【０００２】
【従来の技術】
従来の形状矯正技術として、つぎがある。
（１）テンションレベラーによる形状矯正方法
この方法では、板平坦度は急峻度で、0.5 ％以下と改善され平坦度は良好であるが、板内部残留応力が高く、エッチング後の反り変化が大きい、という欠点がある。
（２）低温焼鈍による形状矯正方法
この方法では、板内部残留応力の低減残留応力を５０N/mm2 以下と抑えることができ、エッチング後の反り変化を抑えることができるが、板平坦度は急峻度１％以上に悪化する。
【０００３】
【発明が解決しようとする課題】
本発明はかかる事情に鑑み、帯板の平坦度が高く、しかもエッチング後の反りが生じないレベリング方法およびレベリング技術を提供することを目的とする。
【０００４】
【課題を解決するための手段】
請求項１の帯板のレベリング方法は、テンションレベラーで帯板に引張り曲げ矯正を加え、ついでローラレベラーで曲げ矯正し、前記テンションレベラーでの矯正作用は、矯正される板厚の450 倍以上のロール径の大径ロールのみにより、負荷強度が帯板の降伏応力もしくは耐力の７０％以上で行い、前記ローラレベラーでの矯正は、張力が５０Ｎ/ｍｍ２以下で行うことを特徴とする。
請求項２の帯板のレベリング装置は、入側ブライドルロールと中央ブライドルロールと出側ブライドルロールとを備えており、前記入側ブライドルロールと前記中央ブライドルロールの間に、テンションレベラーを配置し、前記中央ブライドルロールと前記出側ブライドルロールの間に、ローラレベラーを配置しており、前記テンションレベラーにおいて矯正作用に用いるロールは、ロール径が矯正される帯板の板厚の450 倍以上の大径ロールのみからなることを特徴とする。
【０００５】
請求項１の発明によれば、帯板をテンションレベラーに通すときの負荷強度が降伏応力もしくは耐力の７０％以上とすると共に、ロール径が板厚の450 倍以上の大径ロールで矯正することにより、板の曲げ曲率を大きくすることによって、ロール径が板厚の450 倍以下のロール径で矯正する場合に比べ、残留応力をほぼ１／４に減少させることができる。このようにして、帯板内部における残留応力発生を抑制した帯板をローラレベラーに通すときの張力を５０Ｎ/ｍｍ２以下の低張力にすることでテンションレベラーで発生した帯板内部における残留応力を、さらに低減できる。この結果、帯板内部の残留応力が非常に少ないことから、電気・電子部品用帯板のエッチング後の反りを効果的に抑制できる。
請求項２の発明によれば、ロール径が板厚の450 倍以上の大径ロールを用いるので、矯正される板の曲げ曲率を大きくできる。このため、前後の入側ブライドルロールと中央ブライドルロールによって帯板に与える負荷強度を降伏応力もしくは耐力の７０％以上の大張力を加えても残留応力を板厚の曲率が小さい場合の約１／４以下に大きく低減できる。ついでローラレベラーで帯板を矯正するとき中央ブライドルロールと出側ブライドルロールによって帯板に与える張力を５０Ｎ/ｍｍ２以下の低張力に調整することにより、さらに残留応力を低減できる。このため、請求項１のレベリング方法の実行が最適に行える。
【０００６】
【発明の実施の形態】
つぎに、本発明の実施形態を図面に基づき説明する。
図１は本発明の一実施形態に係るレベリング装置の概略図、図２の(A) 図はテンションレベラーの６の構成図、(B) 図は単純引張り時のロール配置の説明図である。
【０００７】
図１において、１は帯板Ｓを繰り出すペイオフリール、２は矯正された帯板Ｓを巻き取りながら、帯板Ｓに張力を与えるテンションリールである。このペイオフリール１とテンションリール２の間に、入側ブライドルロール３、中央ブライドルロール４、出側ブライドルロール５が配置されている。そして、前記入側ブライドルロール３と中央ブライドルロール４の間にテンションレベラー６が配置され、前記中央ブライドルロール４と前記出側ブライドルロール５の間にローラレベラー７が配置されている。
【０００８】
前記テンションレベラー６は、いわゆる高張力テンションレベラーとして運用されるものであり、図２の(A) 図に示すように、入側デフレクタロール１１と、出側デフレクタロール１２と、それらの間に配置されたワークロール１３とから構成されている。
各ロール１１，１２，１３は、ロール径Ｄが帯板Ｓの板厚の450 倍以上の大径ロールである。
このテンションレベラー６では、図２の(A) 図に示すように、板厚の450 倍以上のロール径を有する大径ロール１１，１２，１３で曲げ矯正させるか、あるいは同(B) 図に示すように、各大径ロール１１，１２，１３をオープンして、前後のブライドロール３，４によってのみ引張りをかける単純引張りで矯正させる。
【０００９】
前記ローラレベラー７は、いわゆる低張力ローラレベラーとして運用されるものであり、公知のローラレベラーが用いられる。したがって、上側ロールと下側ロールが千鳥状に配置されており、上側ロールが個々に昇降調整を行うもの、上側ロールブロックを一体として昇降調整を行うもの、さらに入側と出側にピンチロールを設けたものなどが、特に制限なく利用できる。
【００１０】
つぎに、本発明による帯板の矯正作用を説明する。
帯板Ｓは、ペイオフリール１を出て、テンションレベラー６とローラレベラー７をその順で通され、テンションリール２に巻き取られる。
テンションレベラー６では、前後の入側ブライドルロール３と中央ブライドルロール４で張力が与えられ、帯板Ｓの平坦度矯正が行われる。この際の引張りと曲げ比率を調整し、帯板Ｓへの負荷強度が、降伏応力もしくは耐力の７０％以上とする。この場合、テンションレベラー６での帯板矯正における帯板内部の残留応力は抑制される。
【００１１】
上記のように、レベリング張力を耐力もしくは降伏応力の７０％以上とするには、単純ストレッチを行うか、またはワークロールのロール径を板厚の450 倍以上とすればよい。要するに、帯板の曲げ曲率を無限大にするか、大きくすればよいのである。
テンションレベラー６における各大径ロールのロール径Ｄが板厚の450 倍以上の場合の残留応力と450 倍以下の場合の残留応力は、図３および図４に示すとおりであり、ロール径が板厚の450 倍以上であると、ほぼ1/4 に減少している。
【００１２】
ついで、帯板Ｓはローラレベラー７で、中央ブライドルロール４と出側ブライドルロール５によって張力がかけられた状態で矯正される。この場合の張力は、５０N/mm2 以下の低張力であるので、テンションレベラー６で発生した板内部の残留応力は低減する。
【００１３】
以上のように、本発明のレベリング方法によると、帯板内部の残留応力が少なくなるので、帯板から電気・電子部品の形状にエッチングにより切り取った際に、その部品に反りが生ずることはない。
【００１４】
【発明の効果】
請求項１の発明によれば、帯板をテンションレベラーに通すとき板の曲げ曲率を大きくすることによって、ロール径が板厚の450 倍以下のロール径で矯正する場合に比べ、残留応力をほぼ１／４に減少させることができ、ローラレベラーに通すとテンションレベラーで発生した帯板内部における残留応力を、さらに低減できる。この結果、帯板内部の残留応力が非常に少ないことから、電気・電子部品用帯板のエッチング後の反りを効果的に抑制できる。
請求項２の発明によれば、ロール径が板厚の450 倍以上の大径ロールを用いるので、矯正される板の曲げ曲率を大きくでき、ローラレベラーで中央ブライドルロールと出側ブライドルロールによって帯板に与える張力を５０Ｎ/ｍｍ２以下の低張力に調整できる。このため、請求項１のレベリング方法の実行が最適に行える。
【図面の簡単な説明】
【図１】本発明の一実施形態に係るレベリング装置の概略図である。
【図２】(A) 図はテンションレベラーの６の構成図、(B) 図は単純引張り時のロール配置の説明図である。
【図３】テンションレベラーにおいて、ロール径が板厚の450 倍以上のときの、帯板に発生した残留応力を示すグラフである。
【図４】テンションレベラーにおいて、ロール径が板厚の450 倍以下のときの帯板に発生した残留応力を示すグラフである。
【符号の説明】
３  入側ブライドルロール
４  中央ブライドルロール
５  出側ブライドルロール
６  テンションレベラー
７  ローラレベラー
【図１】
0003590288.tif 000002
【図２】
0003590288.tif 000003
【図３】
0003590288.tif 000004
【図４】
0003590288.tif 000005